(57)【要約】      （修正有）【課題】口腔内の状況（知覚過敏の症状の程度、矯正装置（ブラケット、ワイヤー等）の装着具合等）に応じたブラッシングを一本の歯ブラシで行えるようにする。【解決手段】歯ブラシ１００を、歯ブラシを把持するための柄部１と、柄部１の一端に連設される首部２と、首部２の一端に連設され、首部２を介して柄部１と一体形成される第１ヘッド部３と、第１ヘッド部３に植設される第１のブラシ毛３ａと、第１ヘッド部３に着脱自在に装着される第２ヘッド部４と、第２ヘッド部４に植設される第２のブラシ毛４ａとから構成する。【選択図】図５
2015116299.tif 000002
【特許請求の範囲】
【請求項１】
歯ブラシを把持するための柄部と、
該柄部の一端に連設される首部と、
該首部の一端に連設され、該首部を介して該柄部と一体形成される第１ヘッド部と、
該第１ヘッド部に植設される第１のブラシ毛と、
該第１ヘッド部に着脱自在に装着される第２ヘッド部と、
該第２ヘッド部に植設される第２のブラシ毛とを備える歯ブラシであって、
該第１ヘッド部と該第２ヘッド部からなるヘッド部の幅が該第２ヘッド部の着脱によって変更可能であることを特徴とする歯ブラシ。
【請求項２】
該第２のブラシ毛が該第１のブラシ毛よりも硬い素材で形成されていることを特徴とする請求項１に記載の歯ブラシ。
【請求項３】
該第２のブラシ毛の少なくとも一部の根元から先端までの長さが、該第１のブラシ毛の根元から先端までの長さよりも長く形成されていることを特徴とする請求項１又は２に記載の歯ブラシ。
【請求項４】
該第２ヘッド部は一端が開放するとともに、該第１ヘッド部を該第２ヘッド部内に収容するための収容部を備えることを特徴とする請求項１乃至３のいずれかに記載の歯ブラシ。
【発明の詳細な説明】
【技術分野】
【０００１】
本発明は、知覚過敏症の患者用又は歯列矯正治療中の患者用の歯ブラシに関する。
【背景技術】
【０００２】
歯ブラシは、家庭用品品質表示法に基づき、毛の堅さによって、「かため」、「ふつう」、「やわらかめ」に分類される（以下、家庭用品品質表示法に基づく毛の堅さがかための歯ブラシを「かための歯ブラシ」といい、毛の堅さがふつうの歯ブラシを「ふつうの歯ブラシ」といい、毛の堅さがやわらかめの歯ブラシを「やわらかめの歯ブラシ」という）。
【０００３】
ここで、かための歯ブラシは、ふつう、やわらかめの歯ブラシに比べ、歯ブラシの毛と歯との間に生じる摩擦力が強く、刷掃効果の点においては優れるものの、歯には、係る摩擦力による強い刺激が加わることから、知覚過敏症の患者には、かための歯ブラシは推奨されていない（歯に与える強い刺激が歯髄神経に伝わり痛みが生じるため。特に歯頚部に痛みが生じる）。このため、知覚過敏症の患者には、一般的に歯に対する刺激が少ないやわらかめの歯ブラシが推奨されている。
【０００４】
しかし、やわらかめの歯ブラシは、かため、ふつうの歯ブラシに比べ、刷掃効果の点において劣ることから、知覚過敏症の患者がやわらかめの歯ブラシを使用する場合、痛みを生じない部位（例えば歯冠部）について、十分に歯面等に付着している付着物や沈着物を除去することができない。
【０００５】
そのため、知覚過敏症の患者は、かため又はふつうの歯ブラシとやわらかめの歯ブラシをそれぞれ用意し、痛みを生じない部位（例えば歯冠部）については、刷掃効果を上げるべく、かため又はふつうの歯ブラシを使用し、痛みを生じる部位（例えば歯頚部）については、痛みを生じないようやわらかめの歯ブラシを使用する等、口腔内の状況に応じて毛の堅さの異なる複数の歯ブラシを使い分けなければならないという問題があった（毛の堅さの異なる歯ブラシを複数本用意する必要があり煩雑である）。
【０００６】
また、従来の歯ブラシは、ヘッド部の大きさ（横幅や縦幅）が一定であり、一本の歯ブラシでヘッド部の大きさを変更することができないことから（ヘッド部の大きさをコンパクトに変更できない）、知覚過敏症の患者は、従来の歯ブラシを用いて、痛みを生じる部位（患部。例えば歯頚部）に知覚過敏用の歯磨き粉を塗布し難く、的を絞ったブラッシングができない（従来の歯ブラシでは、それ一本でヘッド部の大きさをコンパクトに変更できないことから、知覚過敏症の患者は、的を絞ったブラッシングを行うべく、ヘッド部の大きさが異なる複数の歯ブラシを用意する必要がある）。加えて、歯ブラシのヘッド部が大きく、一本の歯ブラシでこの大きさをコンパクトに変更できない場合、知覚過敏症の患者は、痛みを生じる部位（例えば歯頚部）に歯ブラシのヘッド部をぶつけ、痛みを感じてしまうという問題もあった（ヘッド部が大きい場合、痛みを生じる部位（例えば歯頚部）にヘッド部をぶつける危険性が高く、知覚過敏症の患者は、この危険性を回避し安心してブラッシングを行うべく、ヘッド部の大きさが異なる複数の歯ブラシを用意する必要があった）。
【０００７】
さらに、従来の歯ブラシでは、ヘッド部の横幅が一定であり、ブラシ毛の形状が矯正装置であるブラケットの形状と一致しないことから、歯列矯正治療中の患者は、これを用いて歯面及びブラケットに付着している付着物や沈着物を十分かつ効率的に除去することができないという問題がある。
【０００８】
より詳しくは、歯列矯正を行うためには、歯にブラケットを装着した後、ブラケットに刻まれたスロットにワイヤーを通し、結紮線でブラケットとワイヤーを固定する必要がある。このため、歯列矯正治療中の患者が、従来の歯ブラシを使用してブラッシングを行っても、歯ブラシのヘッド部の横幅によっては、該ヘッド部がワイヤーの内側にまで入り込まず、ワイヤーの内側に位置する歯面に付着した付着物や沈着物を十分かつ効率的に除去することができない場合がある（歯ブラシのヘッド部の横幅がブラケットとこれに隣接するブラケットとの間隔よりも大きい場合、該ヘッド部はこれらブラケットを支持するワイヤーの内側に入り込むことができないことから、ワイヤーの内側に位置する歯面に付着した付着物や沈着物を除去することができない）。このため、歯列矯正治療中の患者は、ワイヤーの内側に位置する歯面に付着した付着物や沈着物を十分に除去すべく、ヘッド部の横幅が異なる複数の歯ブラシを用意する必要があった。
【０００９】
また、従来の歯ブラシは、ブラシ毛の形状がブラケットを覆い囲む形状とはなっていないことから（毛先が平坦となっている）、歯列矯正治療中の患者は、従来の歯ブラシを用いて、ブラケットとブラケットが装着される歯を同時にブラッシングすることができない（従来の歯ブラシでは、ブラケットとブラケットが装着される歯を別々にブラッシングする必要があり非効率である）。
【００１０】
そこで、近年では、上記問題点を考慮した歯ブラシの製品化が望まれている。
【００１１】
ここで、これらの点に関連する歯ブラシとして、特許文献１には、使用者が握ることができる所定の長さを有し、終端に挿入孔が形成された柄部と、前記挿入孔に係合される突起を有し、硬質材料で形成された複数の前側ブラシ毛が装着されたブラシ毛支持ヘッドと、前記ブラシ毛支持ヘッドの前記前側ブラシ毛に隣接する所定位置に設けられ、軟質材料で形成された後側ブラシ毛を有する着脱可能ブラシ毛支持部材とからなる歯ブラシが記載されている。
【先行技術文献】
【特許文献】
【００１２】
【特許文献１】特表２００７−５３０１３１号公報
【発明の概要】
【発明が解決しようとする課題】
【００１３】
しかし、特許文献１に記載されている歯ブラシでは、軟質材料で形成されたブラシ毛を有するブラシ毛支持部材を使用者が握る柄部に直接嵌め込むことができないことから、軟質材料で形成されたブラシ毛のみでブラッシングを行うことはできない。すなわち、特許文献１に記載されている歯ブラシにおいて、軟質材料で形成されたブラシ毛を使用するためには、必ず、該柄部に嵌め込むことができる硬質材料で形成された複数の前側ブラシ毛が装着されたブラシ毛支持ヘッドに軟質材料で形成されたブラシ毛を有するブラシ毛支持部材を嵌め込む必要があることから、特許文献１に記載されている歯ブラシでは、軟質材料で形成されたブラシ毛は、必ず硬質材料で形成されたブラシ毛と一緒に使用されることになる。したがって、特許文献１に記載されている歯ブラシは、軟質材料で形成されたブラシ毛のみでブラッシングを行うことはできず、これ一本で知覚過敏症の患者用の歯ブラシとしての機能を発揮するものではない（特許文献１に記載されている歯ブラシでは、知覚過敏症の患者は、例えば、別途やわらかめの歯ブラシを用意する必要があり、複数の歯ブラシを口腔内の状況に応じて使い分けなければならない）。
【００１４】
また、特許文献１に記載されている歯ブラシは、硬質材料で形成された複数の前側ブラシ毛が装着されたブラシ毛支持ヘッド（従来の歯ブラシのヘッド部に相当）の大きさ（横幅や縦幅）が一定であることから、知覚過敏症の患者は、これを用いて、痛みを生じる部位（患部。例えば歯頚部）に知覚過敏用の歯磨き粉を塗布し難く、的を絞ったブラッシングができない。加えて、特許文献１に記載されている歯ブラシでは、知覚過敏症の患者は、痛みを生じる部位（例えば歯頚部）に該ブラシ毛支持ヘッドをぶつけ、痛みを感じてしまうという問題もある（該ブラシ毛支持ヘッドの大きさが一定であり、これをコンパクトに変更できず、知覚過敏症の患者は、ヘッド部の大きさが異なる複数の歯ブラシを用意する必要がある）。
【００１５】
さらに、特許文献１に記載されている歯ブラシは、硬質材料で形成された複数の前側ブラシ毛が装着されたブラシ毛支持ヘッドの横幅（従来の歯ブラシのヘッド部の横幅に相当）が一定であることから、歯列矯正治療中の患者は、特許文献１に記載されている歯ブラシを使用してブラッシングを行っても、該ヘッドがワイヤーの内側にまで入り込まないことがあり、ワイヤーの内側に位置する歯面に付着した付着物や沈着物を十分かつ効率的に除去することができない（歯列矯正治療中の患者は、ワイヤーの内側に位置する歯面に付着した付着物や沈着物を十分に除去すべく、ヘッド部の横幅が異なる複数の歯ブラシを用意する必要がある）。
【００１６】
最後に、特許文献１に記載されている歯ブラシは、硬質及び軟質材料で形成されたブラシ毛の形状がブラケットを覆い囲む形状とはなっておらず、毛先が平坦となっていることから、歯列矯正治療中の患者は、特許文献１に記載されている歯ブラシを用いて、ブラケットとブラケットが装着される歯を同時にブラッシングすることができない（特許文献１に記載されている歯ブラシでは、ブラケットとブラケットが装着される歯を別々にブラッシングする必要があり非効率である）。
【００１７】
そこで、本発明に係る歯ブラシは、上記点に鑑みてなされたものであり、知覚過敏症の患者用又は歯列矯正治療中の患者用の歯ブラシとして、一本で口腔内の状況に応じたブラッシングを可能にし、ワイヤーの内側に位置する歯面並びに歯面及びブラケットに付着している付着物や沈着物を十分かつ効率的に除去することができるようにするためのものである。
【課題を解決するための手段】
【００１８】
請求項１の発明に係る歯ブラシは、歯ブラシを把持するための柄部と、該柄部の一端に連設される首部と、該首部の一端に連設され、該首部を介して該柄部と一体形成される第１ヘッド部と、該第１ヘッド部に植設される第１のブラシ毛と、該第１ヘッド部に着脱自在に装着される第２ヘッド部と、該第２ヘッド部に植設される第２のブラシ毛とを備える歯ブラシであって、該第１ヘッド部と該第２ヘッド部からなるヘッド部の幅が該第２ヘッド部の着脱によって変更可能であることを特徴とする。
【００１９】
請求項２の発明に係る歯ブラシは、請求項１に記載の発明に係る歯ブラシにおいて、該第２のブラシ毛が該第１のブラシ毛よりも硬い素材で形成されていることを特徴とする。
【００２０】
請求項３の発明に係る歯ブラシは、請求項１又は２に記載の発明に係る歯ブラシにおいて、該第２のブラシ毛の少なくとも一部の根元から先端までの長さが、該第１のブラシ毛の根元から先端までの長さよりも長く形成されていることを特徴とする。
【００２１】
請求項４の発明に係る歯ブラシは、請求項１乃至３のいずれかに記載の発明に係る歯ブラシにおいて、該第２ヘッド部は一端が開放するとともに、該第１ヘッド部を該第２ヘッド部内に収容するための収容部を備えることを特徴とする。
【発明の効果】
【００２２】
請求項１に記載の発明では、第１ヘッド部と第２ヘッド部からなるヘッド部の幅が第２ヘッド部の着脱によって変更可能であることから、知覚過敏症の患者は、より知覚過敏用の歯磨き粉を患部（例えば歯頚部）に塗布し易くなるとともに（的を絞ったブラッシング）、痛みを生じる部位（例えば歯頚部）について、歯ブラシのヘッド部をぶつけてしまうという危険性を減少させることもできる（ヘッド部の大きさ（幅）が異なる複数の歯ブラシを用意する必要がない）。
【００２３】
また、本発明では、上記構成を採用することで、第１ヘッド部と第２ヘッド部からなるヘッド部の横幅を各ブラケットの間隔に応じて調節することができる。例えば、第１ヘッド部に第２ヘッド部を装着した状態では、ヘッド部の横幅が各ブラケットの間隔よりも大きい場合、第２ヘッド部を第１ヘッド部から取り外し、ヘッド部の横幅を各ブラケットの間隔よりも小さくするようにする。これにより、本発明では、ヘッド部の横幅を、各ブラケットを支持するワイヤーの内側に入り込むよう調節可能なことから、ワイヤーの内側に位置する歯面に付着した付着物や沈着物を十分かつ効率的に除去することができる（ヘッド部の横幅が異なる複数の歯ブラシを用意する必要がない）。
【００２４】
請求項２に記載の発明は、第２のブラシ毛が第１のブラシ毛よりも硬い素材で形成されていることから、知覚過敏症の患者は、これ一本の歯ブラシで口腔内の状況に応じたブラッシングを行うことができる。例えば、痛みを生じない部位（例えば歯冠部）については、刷掃効果を上げるべく、第２ヘッド部を第１ヘッド部に装着した状態でブラッシングを行い（主に第１のブラシ毛よりも硬い素材で形成される第２のブラシ毛（例えば、かため又はふつうの歯ブラシ）を使用する）、痛みを生じる部位（例えば歯頚部）については、痛みを生じないよう第２ヘッド部を第１ヘッド部から取り外し、第１ヘッド部のみでブラッシングを行うようにする（第１のブラシ毛（例えば、やわらかめの歯ブラシ）を使用する）。これにより、本発明では、知覚過敏症の患者が口腔内の状況に応じて複数の歯ブラシを用意する必要はなく、また、これらを使い分けるという煩雑さも解消される（一本の歯ブラシで口腔内の状況に応じたブラッシングが可能となる）。
【００２５】
請求項３に記載の発明は、第２のブラシ毛の少なくとも一部の根元から先端までの長さが、第１のブラシ毛の根元から先端までの長さよりも長く形成されていることから、第２ヘッド部を第１ヘッド部に装着した状態では、ブラシ毛全体の形状はブラケット全体を覆い囲む形状となっている。このため、本発明では、請求項１又は２に記載の発明の効果に加えて、ブラケットとブラケットが装着される歯を同時に効率よくブラッシングすることが可能となる（本発明では、ブラケットとブラケットが装着される歯を別々にブラッシングする必要はない）。
【００２６】
請求項４に記載の発明は、第２ヘッド部に、第１ヘッド部を第２ヘッド部内に収容するための収容部を設けるとともに、第２ヘッド部の一端を開放するよう形成していることから、第１ヘッド部の先端側（第１ヘッド部と首部との連設部とは逆側）を第２ヘッド部の開放部から挿入（抜去）することで、第２ヘッド部を第１ヘッド部へ装着（取り外し）することができる（第２ヘッド部を第１ヘッド部に対し水平に抜き差しすることができる）。これにより、第２ヘッド部を第１ヘッド部に装着（取り外し）する際、首部及び柄部には垂直方向の力が加わらないことから（首部及び柄部には水平方向の力が加わるのみ）、本発明では、請求項１乃至３に記載の発明の効果に加えて、首部又は柄部の変形破損を防止することができる（例えば、垂直方向の力により首部又は柄部が折れてしまうこと等を防止できる）。
【図面の簡単な説明】
【００２７】
【図１】本発明の実施例１に係る歯ブラシの平面図である。
【図２】本発明の実施例１に係る歯ブラシの正面図である。
【図３】本発明の実施例１に係る歯ブラシの第２ヘッド部の平面図である。
【図４】本発明の実施例１に係る歯ブラシの第２ヘッド部の正面図である。
【図５】本発明の実施例１に係る歯ブラシの第２ヘッド部を第１ヘッド部に装着した状態を表す平面図である。
【図６】本発明の実施例１に係る歯ブラシの第１のブラシ毛を用いて歯頚部をブラッシングしている状態を表す斜視図である。
【図７】本発明の実施例１に係る歯ブラシの第２ヘッド部を第１ヘッド部に装着し、第１及び第２のブラシ毛を用いて歯冠部をブラッシングしている状態を表す斜視図である。
【図８】本発明の実施例１に係る歯ブラシの第１のブラシ毛を用いてワイヤーの内側に位置する歯面をブラッシングしている状態を表す斜視図である。
【図９】本発明の実施例１に係る歯ブラシの第２のブラシ毛の変形例を表す左側面図である。
【図１０】本発明の実施例１に係る歯ブラシの第１及び第２のブラシ毛の変形例を表す右側面図である（第１ヘッド部と第２ヘッド部を装着した状態を柄部の後端側からみた図）。
【図１１】本発明の実施例１に係る歯ブラシの第１及び第２のブラシ毛の変形例を用いてブラケット及びブラケットが装着される歯を同時にブラッシングしている状態を表す図である（柄部の後端側からみた図）。
【図１２】本発明の実施例１に係る歯ブラシの第１及び第２ヘッド部の変形例を表す平面図である。
【図１３】本発明の実施例１に係る歯ブラシの第２ヘッド部の変形例を表す平面図である。
【図１４】本発明の実施例１に係る歯ブラシの第１ヘッド部の変形例を表す底面図である。
【図１５】本発明の実施例１に係る歯ブラシの第２ヘッド部の変形例を表す平面図である。
【図１６】本発明の実施例１に係る歯ブラシの第２ヘッド部の変形例を表す平面図である。
【発明を実施するための形態】
【００２８】
以下、図面を用いて本発明の詳細を説明する。
【実施例１】
【００２９】
まず、図１から図４を用いて、本発明の実施例１に係る歯ブラシ１００の形態について説明する。
【００３０】
図１は本発明の実施例１に係る歯ブラシの平面図であり、図２は本発明の実施例１に係る歯ブラシの正面図である。また、図３は本発明の実施例１に係る歯ブラシの第２ヘッド部の平面図を表し、図４は本発明の実施例１に係る歯ブラシの第２ヘッド部の正面図を表す。
【００３１】
本発明の実施例１に係る歯ブラシ１００は、柄部１、首部２、第１ヘッド部３、第１のブラシ毛３ａ、第２ヘッド部４及び第２のブラシ毛４ａを備える（図１乃至図４）。
【００３２】
柄部１は、使用者が歯ブラシ１００を使用する際に把持する部分であり、細長い棒状にて形成されている。柄部１の長手方向の長さは概ね１１ｃｍ、短手方向の長さは概ね１ｃｍに形成される。また、柄部１の厚みは概ね０．７ｃｍに形成される（図１及び図２）。
【００３３】
首部２は、細長い棒状からなり、柄部１の一端に連設される。首部２の長手方向の長さは概ね５ｃｍ、短手方向の長さは概ね０．７ｃｍ、厚みは概ね０．５ｃｍに形成される（図１及び図２）。
【００３４】
第１ヘッド部３は、首部２の一端（柄部１と首部２との連設部とは逆側）に連設され、首部２を介して柄部１と一体となるように形成される。第１ヘッド部３は略長方形状からなり、先端部分が円弧状となるよう形成されている。第１ヘッド部３の長手方向の長さは概ね２ｃｍ、短手方向の長さは概ね０．３ｃｍ、厚みは概ね０．５ｃｍに形成される（図１及び図２）。また、図２に示すように、第１ヘッド部３は、その両側面に、後述の第２ヘッド部４に設けられる嵌合凸部５ｂと嵌合可能な嵌合凹部５ａを有する。嵌合凹部５ａは、第１ヘッド部３の両側面中央部付近に設けられ、長手方向の長さを概ね１ｃｍ、短手方向の長さを概ね０．２ｃｍとする長方形状に形成される。
【００３５】
第１のブラシ毛３ａは、第１ヘッド部３上に植設される。具体的には、第１のブラシ毛３ａを第１ヘッド部３の長手方向に沿って整列するよう植設するとよい（図１）。第１のブラシ毛３ａの長さ（「根元から先端までの長さ」のこと、以下同じ。）は概ね１ｃｍに形成される（図２）。また、第１のブラシ毛３ａの堅さは、後述の第２のブラシ毛４ａよりもやわらかい素材で形成することが好ましい。なお、ここでいう第１のブラシ毛３ａと第２のブラシ毛４ａとの堅さの比較は、あくまで相対的な比較であって、家庭用品品質表示法に基づくブラシ毛の分類（「かため」、「ふつう」、「やわらかめ」）のことを述べているものではない（以下同様）。
【００３６】
第２ヘッド部４は、後述のとおり第１ヘッド部３に着脱自在に装着される（図５）。このため、第２ヘッド部４は、その一端に開放部６ａを有し、内部には第１ヘッド部３を収容するための収容部６ｂが形成されている（平面視Ｕ字状に形成される。図３）。第２ヘッド部４の長手方向の長さは概ね２．３ｃｍ、短手方向の長さは概ね０．９ｃｍ、厚みは概ね０．５ｃｍに形成される（図３及び図４）。また、収容部６ｂは第１ヘッド部３を収容するためのものであることから、その形状は第１ヘッド部３と同様に略長方形状からなり、先端部分が円弧状となるよう形成される。よって、収容部６ｂの長手方向の長さは概ね２ｃｍ、短手方向の長さは概ね０．３ｃｍ、厚みは概ね０．５ｃｍに形成される（第１ヘッド部３のそれぞれの長さと同様になる。図３）。さらに、第２ヘッド部４は、収容部６ｂの両側面に、第１ヘッド部３に設けられる嵌合凹部５ａと嵌合可能な嵌合凸部５ｂを有する（図３）。嵌合凸部５ｂは、収容部６ｂの両側面中央部付近に設けられ、長手方向の長さを概ね１ｃｍ、短手方向の長さを概ね０．２ｃｍとする長方形状に形成される（嵌合凹部５ａと同様の形状となる）。
【００３７】
第２のブラシ毛４ａは、第２ヘッド部４上に植設される。具体的には、第２のブラシ毛４ａを第２ヘッド部４の形状（平面視Ｕ字状）に沿って整列するよう植設するとよい（第２のブラシ毛４ａも平面視Ｕ字状となるよう植設する。図３）。第２のブラシ毛４ａの長さは概ね１ｃｍに形成される（図４）。また、第２のブラシ毛４ａの堅さは、第１のブラシ毛３ａよりも硬い素材で形成することが好ましい。
【００３８】
なお、各部の素材は従来の歯ブラシと同様のものを用いることができる。例えば、柄部１、首部２、第１ヘッド部３及び第２ヘッド部４の素材としては、ポリプロピレン、飽和ポリエステル樹脂等を用いることができる。また、第１のブラシ毛３ａ及び第２のブラシ毛４ａの素材としては、人工毛（ナイロン等）又は天然毛（白馬毛、豚毛、馬毛等）等を用いることができる。
【００３９】
次に、図５から図８を用いて、本発明の実施例１に係る歯ブラシ１００の使用方法について説明する。
【００４０】
図５は本発明の実施例１に係る歯ブラシの第２ヘッド部を第１ヘッド部に装着した状態を表す平面図であり、図６は本発明の実施例１に係る歯ブラシの第１のブラシ毛を用いて歯頚部をブラッシングしている状態を表す斜視図である。また、図７は本発明の実施例１に係る歯ブラシの第２ヘッド部を第１ヘッド部に装着し、第１及び第２のブラシ毛を用いて歯冠部をブラッシングしている状態を表し、図８は本発明の実施例１に係る歯ブラシの第１のブラシ毛を用いてワイヤーの内側に位置する歯面をブラッシングしている状態を表す。
【００４１】
まず、第１ヘッド部３と第２ヘッド部４の着脱方法について説明する。
【００４２】
第２ヘッド部４を第１ヘッド部３に装着するには、第１ヘッド部３の先端部を第２ヘッド部４の開放部６ａから挿入するようにする（第１ヘッド部３の先端部を第２ヘッド部４に対し水平に差し込む）。具体的には、第２ヘッド部４には、その一端に開放部６ａが形成され、内部には収容部６ｂが形成されていることから、第１ヘッド部３の先端部を開放部６ａより収容部６ｂ内に案内する（第２ヘッド部４を第１ヘッド部３の先端部へ向け押し込むようにしてもよい）。そして、収容部６ｂに設けられる嵌合凸部５ｂと第１ヘッド部３に設けられる嵌合凹部５ａとを嵌合しつつ、第１ヘッド部３を収容部６ｂ内に収める（図５）。このとき、嵌合凹部５ａと嵌合凸部５ｂは第１ヘッド部３の両側面中央部付近（収容部６ｂの両側面中央部付近）で嵌合されることから、第２ヘッド部４に上下方向の力が加わったとしても、第２ヘッド部４が第１ヘッド部３より外れてしまうことはない。
【００４３】
第２ヘッド部４を第１ヘッド部３から取り外すには、上述の装着方法と逆の動作を行うようにする。具体的には、第２ヘッド部４をやや外側に開き、嵌合凹部５ａと嵌合凸部５ｂの嵌合状態を解消しつつ、第１ヘッド部３を第２ヘッド部４の開放部６ａから抜き出すようにすればよい（第２ヘッド部４を第１ヘッド部３の先端部から抜き出すようにしてもよい）。
【００４４】
このようにすることで、第２ヘッド部４を第１ヘッド部３に装着（取り外し）する際、首部２及び柄部１には垂直方向の力が加わらないことから（首部２及び柄部１には水平方向の力が加わるのみ）、首部２又は柄部１の変形破損を防止することができる（例えば、垂直方向の力により首部２又は柄部１が折れてしまうこと等を防止できる）。
【００４５】
次に、知覚過敏症の患者が歯ブラシ１００を用いてブラッシングを行う方法について説明する。
【００４６】
知覚過敏症の患者が使用する歯ブラシ１００については、第１のブラシ毛３ａを第２のブラシ毛４ａよりもやわらかい素材で形成しておくことが好ましい（例えば、第１のブラシ毛３ａを「やわらかめの歯ブラシ」に、第２のブラシ毛４ａを「かため又はふつうの歯ブラシ」にする等。知覚過敏の症状が軽度の場合には、例えば、第１のブラシ毛３ａを「ふつうの歯ブラシ」に、第２のブラシ毛４ａを「かための歯ブラシ」にすることもできる）。そして、知覚過敏症の患者が痛みを生じる部位（例えば歯頚部１１）についてブラッシングを行う場合には、痛みを生じないよう第２ヘッド部４を第１ヘッド部３から取り外し、第１ヘッド部３（第１のブラシ毛３ａ）のみにてブラッシングを行うようにする（第１のブラシ毛３ａは第２のブラシ毛４ａよりもやわらかい素材で形成されているため、知覚過敏症の患者は痛みを感じにくい。図６）。また、知覚過敏症の患者が痛みを生じない部位（例えば歯冠部１２）についてブラッシングを行う場合は、刷掃効果を上げるべく、第２ヘッド部４を第１ヘッド部３に装着した状態で（主に第２のブラシ毛４ａ）ブラッシングを行う（第２のブラシ毛４ａは第１のブラシ毛３ａよりも硬い素材で形成されているため、第１のブラシ毛３ａと比較して刷掃力が高い。図７）。このようにすることで、知覚過敏症の患者は、一本の歯ブラシ１００で口腔内の状況に応じたブラッシングを行うことが可能となる（口腔内の状況に応じて複数の歯ブラシを用意する必要はなく、また、これらを使い分けるという煩雑さもない）。
【００４７】
また、歯ブラシ１００のヘッド部（第１ヘッド部３と第２ヘッド部４からなるヘッド部）は、第２ヘッド部４を第１ヘッド部３に装着した状態とそうでない状態とでは、その幅７Ａ、７Ｂ、７Ｃ、７Ｄの大きさが異なる（すなわち、ヘッド部の横幅及び縦幅が異なる）。このため、第２ヘッド部４を第１ヘッド部３から取り外した場合、歯ブラシ１００のヘッド部の幅は小さくなることから（図１の７Ａ、７Ｃの幅）、知覚過敏症の患者は、痛みを生じる部位（例えば歯頚部１１）について的を絞ったブラッシングが可能となる（第１ヘッド部３（第１のブラシ毛３ａ）の形状は、第２ヘッド部４（第２のブラシ毛４ａ）が装着された状態と比べ、コンパクトであることから、より知覚過敏用の歯磨き粉を患部（例えば歯頚部１１）に塗布し易くなる。これにより、知覚過敏症の患者は、ヘッド部の大きさ（幅）が異なる複数の歯ブラシを用意する必要がない）。
【００４８】
さらに、知覚過敏症の患者が痛みを生じる部位（例えば歯頚部１１）についてブラッシングを行う場合、第１ヘッド部３（第１のブラシ毛３ａ）のみにてブラッシングを行えば、歯ブラシ１００のヘッド部の幅は小さいことから（図１の７Ａ、７Ｃの幅）、知覚過敏症の患者が痛みを生じる部位（例えば歯頚部１１）に歯ブラシ１００のヘッド部をぶつける危険性は減少する（例えば、歯頚部１１に歯ブラシ１００のヘッド部がぶつかることで生じる痛みを回避でき、安心してブラッシングを行うことができる。これにより、知覚過敏症の患者は、ヘッド部の大きさ（幅）が異なる複数の歯ブラシを用意する必要がない）。
【００４９】
続いて、歯列矯正治療中の患者が歯ブラシ１００を用いてブラッシングを行う方法について説明する。
【００５０】
ワイヤー１４の内側に位置する歯面に付着した付着物や沈着物を除去するためには、歯ブラシ１００のヘッド部の横幅がワイヤー１４に支持される各ブラケット１３の間隔よりも小さい必要がある（ブラケット１３が障害となり、歯ブラシ１００のヘッド部がワイヤー１４の内側に入り込まないため）。このため、第２ヘッド部４を第１ヘッド部３に装着した状態では、歯ブラシ１００のヘッド部の横幅が各ブラケット１３の間隔よりも大きい場合には、第２ヘッド部４を第１ヘッド部３から取り外し、歯ブラシ１００のヘッド部の横幅を各ブラケット１３の間隔よりも小さくするようにする（図１の７Ａの幅）。そして、この状態のまま歯ブラシ１００を各ブラケット１３の間からワイヤー１４の内側に挿入し、ワイヤー１４の内側に位置する歯面を第１のブラシ毛３ａを用いてブラッシングする（図８）。なお、第２ヘッド部４を第１ヘッド部３に装着していても、歯ブラシ１００のヘッド部の横幅（図５の７Ｂの幅）が各ブラケット１３の間隔よりも小さい場合には、第２ヘッド部４を第１ヘッド部３に装着した状態のまま、歯ブラシ１００を各ブラケット１３の間からワイヤー１４の内側に挿入し、ワイヤー１４の内側に位置する歯面をブラッシングすればよい（第１のブラシ毛３ａ及び第２のブラシ毛４ａでブラッシングする）。このように、歯列矯正治療中の患者は、歯ブラシ１００のヘッド部の横幅を、各ブラケット１３を支持するワイヤー１４の内側に入り込むよう調節可能なことから（図１の７Ａ、図５の７Ｂ）、ワイヤー１４の内側に位置する歯面に付着した付着物や沈着物を十分かつ効率的に除去することができる（ヘッド部の横幅が異なる複数の歯ブラシを用意する必要がない）。
【００５１】
このように、本発明では、上記構成を採用することで、知覚過敏症の患者は、一本の歯ブラシ１００で口腔内の状況に応じたブラッシングを行うことが可能となる（口腔内の状況に応じて複数の歯ブラシを用意する必要はなく、また、これらを使い分けるという煩雑さもない）。また、知覚過敏症の患者は、より知覚過敏用の歯磨き粉を患部（例えば歯頚部１１）に塗布し易くなるとともに（的を絞ったブラッシング）、痛みを生じる部位（例えば歯頚部１１）について、歯ブラシ１００のヘッド部をぶつけてしまうという危険性を減少させることもできる（ヘッド部の大きさ（幅）が異なる複数の歯ブラシを用意する必要がない）。
【００５２】
さらに、歯列矯正治療中の患者においては、歯ブラシ１００のヘッド部の横幅を、各ブラケット１３を支持するワイヤー１４の内側に入り込むよう調節可能なことから（図１の７Ａ、図５の７Ｂ）、ワイヤー１４の内側に位置する歯面に付着した付着物や沈着物を十分かつ効率的に除去することができる（ヘッド部の横幅が異なる複数の歯ブラシを用意する必要がない）。
【００５３】
すなわち、本発明では、一本の歯ブラシで口腔内の状況（知覚過敏の症状の程度、矯正装置（ブラケット１３、ワイヤー１４等）の装着具合等）に応じたブラッシングが可能になるのである（知覚過敏症の患者及び歯列矯正治療中の患者は、口腔内の状況に応じて、複数の歯ブラシを用意する必要はなく、また、これらを使い分ける必要もない）。
【００５４】
なお、本実施例では、柄部１、首部２、第１ヘッド部３及び第２ヘッド部４のそれぞれの長手方向の長さ、短手方向の長さ及び厚みを上述のとおりの長さに形成するものとしているが、これらの長さを他の長さで形成することも可能である。例えば、歯ブラシ１００の使用者が子供の場合又は歯ブラシ１００を携帯用として使用する場合等には、歯ブラシ１００をコンパクトに形成することもできる。具体的には、柄部１の長手方向の長さを概ね９ｃｍ、短手方向の長さを概ね０．８ｃｍ、厚みを概ね０．５ｃｍに、首部２の長手方向の長さを概ね３ｃｍ、短手方向の長さを概ね０．５ｃｍ、厚みを概ね０．３ｃｍに、第１ヘッド部３の長手方向の長さを概ね１．５ｃｍ、短手方向の長さを概ね０．２ｃｍ、厚みは概ね０．３ｃｍに、第２ヘッド部４の長手方向の長さを概ね１．７ｃｍ、短手方向の長さを概ね０．６ｃｍ、厚みを概ね０．３ｃｍに形成することもできる。なお、このとき、収容部６ｂの長手方向の長さ、短手方向の長さ及び厚みを第１ヘッド部３の長手方向の長さ、短手方向の長さ及び厚みと同様の長さに形成することは勿論のことである（収容部６ｂに第１ヘッド部３を収容するため）。また、このように、歯ブラシ１００をコンパクトに形成しておけば、ブラッシングの際に小回りがきくことから（歯ブラシ１００の動きをコントロールし易い）、知覚過敏症の患者は、痛みを生じる部位（例えば歯頚部１１）について、より的を絞ったブラッシングが可能となり、痛みを生じる部位（例えば歯頚部１１）について歯ブラシ１００のヘッド部をぶつける危険性を減少させることができる。さらに、歯列矯正治療中の患者は、ワイヤー１４の内側に位置する歯面をより十分にブラッシングすることができる。
【００５５】
また、本実施例では、柄部１及び首部２を細長い棒状にて形成するものとしているが、使用者が歯ブラシ１００を把持することができ、第１ヘッド部３が首部２の一端と連設され、首部２を介して柄部１と一体となるよう形成されるのであれば、柄部１及び／又は首部２を他の形状で形成することもできる。例えば、柄部１及び／又は首部２を板状体にて形成してもよい。
【００５６】
さらに、本実施例では、第１ヘッド部３の形状を略長方形状からなるものとしているが、第２ヘッド部４を第１ヘッド部３から取り外した際、歯ブラシ１００のヘッド部の横幅が各ブラケット１３の間隔よりも小さくなるのであれば、第１ヘッド部３の形状はこれに限られるものではない。例えば、第１ヘッド部３の形状を円形状又は略正方形状に形成することもできる。このとき、第２ヘッド部４は第１ヘッド部３に着脱自在に装着されるものであることから、第２ヘッド部４の形状を第１ヘッド部３の形状（円形状又は略正方形状）に合わせて形成することは勿論である（例えば、第１ヘッド部３の形状を円形状とした場合、第２ヘッド部４の形状は平面視Ｃ字状に形成され、第１ヘッド部３の形状を略正方形状とした場合には、第２ヘッド部４の形状は平面視略コ字状に形成される）。
【００５７】
本実施例では、第１のブラシ毛３ａの堅さを第２のブラシ毛４ａよりもやわらかい素材で形成するものとしているが（第２のブラシ毛４ａの堅さを第１のブラシ毛３ａよりも硬い素材で形成する）、歯ブラシ１００に、より歯列矯正治療中の患者用の歯ブラシとしての機能（ワイヤー１４の内側に位置する歯面に付着した付着物や沈着物を十分に除去すべく、刷掃効果を確保するという機能）を持たせたいのであれば、第１のブラシ毛３ａと第２のブラシ毛４ａの堅さを同等の堅さに形成してもよい（例えば、第１のブラシ毛３ａと第２のブラシ毛４ａを共に「かための歯ブラシ」にする等）。これにより、第２ヘッド部４を第１ヘッド部３から取り外した場合でも、第１のブラシ毛３ａは刷掃効果を有することから、ワイヤー１４の内側に位置する歯面に付着した付着物や沈着物を十分に除去することができる。なお、このような構成を採用したとしても、第２ヘッド部４を第１ヘッド部３から取り外せば、歯ブラシ１００のヘッド部の幅は小さくなることから（図１の７Ａ、７Ｃの幅）、歯ブラシ１００が知覚過敏症の患者用の歯ブラシとしての機能の全てを失うものではない（歯ブラシ１００のヘッド部の幅が小さくなることから、知覚過敏症の患者は、依然として、痛みを生じる部位（例えば歯頚部１１）について的を絞ったブラッシングが可能であり、また、痛みを生じる部位（例えば歯頚部１１）について歯ブラシ１００のヘッド部をぶつける危険性も回避できるため）。
【００５８】
また、本実施例では、第１のブラシ毛３ａ及び第２のブラシ毛４ａの長さを概ね１ｃｍに形成するものとしているが、例えば、これらの長さを他の長さで形成することも可能である。例えば、第２のブラシ毛４ａの少なくとも一部の長さを第１のブラシ毛３ａの長さよりも長く形成してもよい。具体的には、図９及び図１０に示すように、第２のブラシ毛４０ａの長さを第１のブラシ毛３０ａの長さよりも長く形成し、第２のブラシ毛４０ｂの長さを第１のブラシ毛３０ａの長さと同等の長さに形成することができる。このようにすることで、第２ヘッド部４を第１ヘッド部３に装着した状態では、ブラシ毛全体（３０ａ、４０ａ、４０ｂ）の形状はブラケット１３全体を覆い囲む形状となることから（図１１）、ブラケット１３とブラケット１３が装着される歯を同時に効率よくブラッシングすることができる（ブラケット１３とブラケット１３が装着される歯を別々にブラッシングする必要はない）。なお、このときの第２のブラシ毛４０ａと第１のブラシ毛３０ａの長さは、ブラケット１３の厚みに応じて決定されることは勿論である（ブラシ毛全体の形状をブラケット１３全体を覆い囲む形状とする必要があるため）。具体的には、第２のブラシ毛４０ａの長さを概ね１ｃｍ、第１のブラシ毛３０ａの長さを概ね０．５ｃｍに形成しておくとよい。また、上記では、第２のブラシ毛４０ｂの長さを第１のブラシ毛３０ａの長さと同等の長さに形成するものとしているが、ブラシ毛全体の形状がブラケット１３全体を覆い囲む形状となるのであれば、第２のブラシ毛４０ｂの長さは、第１のブラシ毛３０ａの長さよりも短く又は長く形成してもよい。
【００５９】
さらに、本実施例では、第１ヘッド部３の両側面中央部付近に設けられる嵌合凹部５ａと第２ヘッド部４の収容部６ｂの両側面中央部付近に設けられる嵌合凸部５ｂとを嵌合することで第２ヘッド部４を第１ヘッド部３に装着するものとしているが、さらに、この構成に加え、第１ヘッド部３と首部２の連設部近傍に切り欠き５０ａを設け、第２ヘッド部４の開放部６ａ近傍に、切り欠き５０ａに係合可能な突起部５０ｂを設けてもよい（図１２）。これにより、第１ヘッド部３と第２ヘッド部４の装着状態をより安定的に保つことができる。
【００６０】
加えて、本実施例では、第２ヘッド部４を第１ヘッド部３に装着するには、第１ヘッド部３の先端部を第２ヘッド部４の開放部６ａから挿入するようにしているが（第１ヘッド部３の先端部を第２ヘッド部４に対し水平に差し込む）、例えば、第２ヘッド部４を第１ヘッド部３の底面側から嵌め込むように装着してもよい。このとき、図１３に示すように、第２ヘッド部４には底部６０を設け、底部６０の中央部付近には嵌合凸部７０ｂを形成し、第１ヘッド部３の底面には、図１４に示すような嵌合凸部７０ｂに嵌合可能な嵌合凹部７０ａを形成しておけばよい。なお、これによれば、第２ヘッド部４を第１ヘッド部３に装着（取り外し）する際、首部２及び柄部１には垂直方向の力が加わるものの、使用者が首部２付近を把持することで係る垂直方向の力を抑制すれば、首部２又は柄部１が変形破損してしまうというおそれはない。
【００６１】
最後に、本実施例では、第２ヘッド部４を第１ヘッド部３に着脱することにより、歯ブラシ１００のヘッド部（第１ヘッド部３と第２ヘッド部４からなるヘッド部）の幅７Ａ、７Ｂ、７Ｃ、７Ｄを変更可能としているが（すなわち、ヘッド部の横幅及び縦幅の変更）、係る着脱により、歯ブラシ１００のヘッド部の横幅のみ又は縦幅のみを変更可能にするよう形成してもよい。具体的には、歯ブラシ１００のヘッド部の横幅のみを変更可能としたいのであれば、例えば、図１５に示すように、第２ヘッド部４に底部６１を設け、底部６１の両側辺近傍に、第２ヘッド部４の長手方向に沿って植設された第２のブラシ毛４ａをそれぞれ設けるとよい。このとき、第２ヘッド部４の長手方向の長さを第１ヘッド部３の長手方向の長さと同一に形成し、底部６１の形状を第１ヘッド部３の形状に合わせることは勿論のことである（第２ヘッド部４を第１ヘッド部３に着脱することで歯ブラシ１００のヘッド部の横幅のみを変更可能とするため）。なお、この際、例えば、底部６１の中央部付近に嵌合凸部７０ｃを形成し、第１ヘッド部３の底面に、図１４に示すような嵌合凸部７０ｃに嵌合可能な嵌合凹部７０ａを形成しておけば、第１ヘッド部３と第２ヘッド部４を容易に着脱することができる。このように歯ブラシ１００のヘッド部の横幅のみを変更可能にした場合、第２ヘッド部４を第１ヘッド部３に装着した状態でも、歯ブラシ１００のヘッド部の縦幅は依然として同様であり（図１の７Ｃの幅から変更されない）、歯ブラシ１００のヘッド部はコンパクトであることから（ブラッシングの際に小回りがきくことから、歯ブラシ１００のヘッド部の動きをコントロールし易い）、知覚過敏症の患者が第２ヘッド部４を第１ヘッド部３に装着した状態で痛みを生じない部位（例えば歯冠部１２）についてブラッシングを行っても、誤って、痛みを生じる部位（例えば歯頚部１１）についてブラッシングを行うことはない（痛みを生じる部位（例えば歯頚部１１）に歯ブラシ１００のヘッド部をぶつける危険性も減少される）。また、歯列矯正治療中の患者は、ブラケット１３が装着されていない歯１０をブラッシングする際、誤って、歯ブラシ１００のヘッド部をブラケット１３にぶつけてしまうという危険性を回避することができる（歯ブラシ１００のヘッド部はコンパクトであることから、歯ブラシ１００のヘッド部の動きをコントロールし易いため）。
【００６２】
また、歯ブラシ１００のヘッド部の縦幅のみを変更可能としたいのであれば、例えば、図１６に示すように、第２ヘッド部４に底部６２を設け、底部６２の先端部近傍に、第２のブラシ毛４ａを植設するとよい。このとき、第２ヘッド部４の長手方向の長さを第１ヘッド部３の長手方向の長さよりも長めに形成し（概ね０．２ｃｍ長めに形成することが好ましい）、第２ヘッド部４の短手方向の長さ及び底部６２の形状を第１ヘッド部３の短手方向の長さ及び形状と合わせることは勿論のことである（第２ヘッド部４を第１ヘッド部３に着脱することで歯ブラシ１００のヘッド部の縦幅のみを変更可能とするため）。なお、この際、例えば、底部６２の中央部付近に嵌合凸部７０ｄを形成し、第１ヘッド部３の底面に、図１４に示すような嵌合凸部７０ｄに嵌合可能な嵌合凹部７０ａを形成しておけば、第１ヘッド部３と第２ヘッド部４を容易に着脱することができる。このように歯ブラシ１００のヘッド部の縦幅のみを変更可能にした場合、第２ヘッド部４を第１ヘッド部３に装着した状態でも、歯ブラシ１００のヘッド部の横幅は依然として同様であり（図１の７Ａの幅から変更されない）、歯ブラシ１００のヘッド部はコンパクトであることから（ブラッシングの際に小回りがきくことから、歯ブラシ１００のヘッド部の動きをコントロールし易い）、知覚過敏症の患者が第２ヘッド部４を第１ヘッド部３に装着した状態で痛みを生じない部位（例えば歯冠部１２）についてブラッシングを行っても、誤って、痛みを生じる部位（例えば歯頚部１１）についてブラッシングを行うことはない（痛みを生じる部位（例えば歯頚部１１）に歯ブラシ１００のヘッド部をぶつける危険性も減少される）。また、歯列矯正治療中の患者は、第２ヘッド部４を第１ヘッド部３に装着した状態でも、歯ブラシ１００のヘッド部の横幅は依然として同様であることから、第２ヘッド部４を第１ヘッド部３に装着した状態のまま、ワイヤー１４の内側に位置する歯面に付着した付着物や沈着物を十分に除去することができる（第２のブラシ毛４ａを第１のブラシ毛３ａよりも硬い素材で形成している場合は、刷掃効果を高めつつ、ワイヤー１４の内側に位置する歯面に付着した付着物や沈着物を除去することができる）。さらに、歯列矯正治療中の患者は、ブラケット１３が装着されていない歯１０をブラッシングする際、誤って、歯ブラシ１００のヘッド部をブラケット１３にぶつけてしまうという危険性を回避することができる（歯ブラシ１００のヘッド部はコンパクトであることから、歯ブラシ１００のヘッド部の動きをコントロールし易いため）。
【００６３】
このように、本実施例では、本発明の趣旨を逸脱しない範囲で種々の変更が可能であることはいうまでもない。
【符号の説明】
【００６４】
１      柄部
２      首部
３      第１ヘッド部
３ａ    第１のブラシ毛
４      第２ヘッド部
４ａ    第２のブラシ毛
５ａ    嵌合凹部
５ｂ    嵌合凸部
６ａ    開放部
６ｂ    収容部
７Ａ    歯ブラシの横幅
７Ｂ    歯ブラシの横幅
７Ｃ    歯ブラシの縦幅
７Ｄ    歯ブラシの縦幅
１０    歯
１１    歯頚部
１２    歯冠部
１３    ブラケット
１４    ワイヤー
３０ａ  第１のブラシ毛
４０ａ  第２のブラシ毛
４０ｂ  第２のブラシ毛
５０ａ  切り欠き
５０ｂ  突起部
６０    底部
６１    底部
６２    底部
７０ａ  嵌合凹部
７０ｂ  嵌合凸部
７０ｃ  嵌合凸部
７０ｄ  嵌合凸部
１００  歯ブラシ
【図１】
2015116299.tif 000003
【図２】
2015116299.tif 000004
【図３】
2015116299.tif 000005
【図４】
2015116299.tif 000006
【図５】
2015116299.tif 000007
【図６】
2015116299.tif 000008
【図７】
2015116299.tif 000009
【図８】
2015116299.tif 000010
【図９】
2015116299.tif 000011
【図１０】
2015116299.tif 000012
【図１１】
2015116299.tif 000013
【図１２】
2015116299.tif 000014
【図１３】
2015116299.tif 000015
【図１４】
2015116299.tif 000016
【図１５】
2015116299.tif 000017
【図１６】
2015116299.tif 000018